(57)【要約】【課題】サイズが異なるペン型注射器であっても注射器本体と針ユニットとの螺合を分離し、分離した針ユニットを落下させて収容する。【解決手段】針ユニットを挿入する挿入孔部３内には、弾発性を有する保持部３ｂが設けられており、針ユニット１２のサイズが異なっても、使用済みのペン型注射器の針ユニット１２を挿入孔部３内に挿入できる。針ユニット１２の突条を挿入孔部３の当接突起部に回転方向に係止して、針ユニット１２の回転を規制しながら、注射器本体１１を回転させると、注射器本体１１と針ユニット１２の螺合が分離される。分離した針ユニット１２を挿入孔部３に挿入したままの状態において、閉止部材６を閉止することにより、その下面に設けた押込部６ｃが針ユニット１２に当接し押し込むことにより、針ユニット１２は容器本体１内に落下する。【選択図】図６
2018166647.tif 000002
【特許請求の範囲】
【請求項１】
針ユニットを収容する容器本体と、該容器本体の上部に配置し、閉止部材を有する蓋部とを備え、該蓋部には注射器本体に螺合した使用済みの前記針ユニットを回転不能に挿入する挿入孔部を設け、前記注射器本体の回転により前記挿入孔部内に分離して保持した前記針ユニットを、前記閉止部材に設けた押込部によって前記挿入孔部から下方に押し込んで前記容器本体内に落下させる注射針用廃棄箱であって、
前記挿入孔部内には、弾発性を有する保持部が前記挿入孔部の内壁に設けられており、サイズが異なる前記針ユニットの保持を可能としたことを特徴とする注射針用廃棄箱。
【請求項２】
前記保持部は弾発性を有する複数の押圧部により前記針ユニットを支持することを特徴とする請求項１に記載の注射針用廃棄箱。
【請求項３】
前記押圧部に設けた当接突起部によって、前記針ユニットを回転不能に規制することを特徴とする請求項２に記載の注射針用廃棄箱。
【請求項４】
前記押圧部の両端は前記挿入孔部の内壁に接続され、中間に付勢力を有する湾曲部が設けられていることを特徴とする請求項２又は３の何れか１項に記載の注射針用廃棄箱。
【請求項５】
前記押圧部はばね板により保持されていることを特徴とする請求項２又は３に記載の注射針用廃棄箱。
【請求項６】
前記保持部は別部材として前記挿入孔部の内壁に取り付けたことを特徴とする請求項１に記載の注射針用廃棄箱。
【発明の詳細な説明】
【技術分野】
【０００１】
本発明は、注射器の注射器本体から使用済みの針ユニットを分離し、分離した針ユニットを安全に収納する注射針用廃棄箱に関するものである。
【背景技術】
【０００２】
通常、採血や点滴等において使用した使用済みの注射針を有する針ユニットには、患者の血液、体液が付着していることから、誤って針ユニットに触れると刺傷事故により感染症等を引き起こす虞れがある。従って、使用済みの針ユニットを付属する注射器は、医療用廃棄物として慎重に取り扱われる。
【０００３】
しかし、使用済みの注射器をそのまま廃棄箱に収納すると、廃棄箱が直ちに満杯となってしまうという問題がある。また、使用済みの針ユニットを含む医療用廃棄物は、鋭利物を含んでいることから特に処理費用が高く、注射器から針ユニットを分離して、針ユニットのみを廃棄することが望まれている。
【０００４】
そこで、使用済みの注射器を注射器本体と針ユニットとに分離し、針ユニットのみを注射針用廃棄箱に投入し、この注射針用廃棄箱を鋭利物を含む医療用廃棄物として処分するのが通常である。
【０００５】
特許文献１には、本出願人によるこのような機能を有する注射針用廃棄箱が開示されている。
【先行技術文献】
【特許文献】
【０００６】
【特許文献１】特許第５３９４５２０号公報
【発明の概要】
【発明が解決しようとする課題】
【０００７】
しかし、特許文献１の注射針用廃棄箱では、特定のサイズの針ユニットに対してのみしか適応することができず、近年のように針ユニットに径が異なる複数のサイズが使用されるようになると、全ゆるサイズの針ユニットに対しても対応できることが望まれている。
【０００８】
本発明の目的は、上述の課題を解消し、複数サイズの使用済みのペン型注射器から、安全に注射器本体と針ユニットとに分離し、分離した針ユニットを手で触れることなく、分離後に直ちに収納することができる注射針用廃棄箱を提供することにある。
【課題を解決するための手段】
【０００９】
上記目的を達成するための本発明に係る注射針用廃棄箱は、針ユニットを収容する容器本体と、該容器本体の上部に配置し、閉止部材を有する蓋部とを備え、該蓋部には注射器本体に螺合した使用済みの前記針ユニットを回転不能に挿入する挿入孔部を設け、前記注射器本体の回転により前記挿入孔部内に分離して保持した前記針ユニットを、前記閉止部材に設けた押込部によって前記挿入孔部から下方に押し込んで前記容器本体内に落下させる注射針用廃棄箱であって、前記挿入孔部内には、弾発性を有する保持部が前記挿入孔部の内壁に設けられており、サイズが異なる前記針ユニットの保持を可能としたことを特徴とする。
【発明の効果】
【００１０】
本発明に係る注射針用廃棄箱では、径が異なる複数のサイズの針ユニットに対しても対応できるので、特定のサイズのペン型注射器に限定されずに、使用済みのペン型注射器を安全に注射器本体から針ユニットを分離し、分離した針ユニットのみを容器本体に安全に収納することができる。
【図面の簡単な説明】
【００１１】
【図１】実施例１の注射針用廃棄箱の斜視図である。
【図２】保持部の平面図である。
【図３】ペン型注射器の分解斜視図である。
【図４】注射針用廃棄箱でペン型注射器の針ユニットを外す状態の斜視図である。
【図５】針ユニットが挿入孔部に挿入された状態の説明図である。
【図６】注射針用廃棄箱でペン型注射器の注射器本体と針ユニットを分離した状態の斜視図である。
【図７】開止部材を閉止する過程の注射針用廃棄箱の斜視図である。
【図８】開止部材を閉止した状態の注射針用廃棄箱の斜視図である。
【図９】実施例２の注射針用廃棄箱の斜視図である。
【図１０】保持部の平面図である。
【発明を実施するための形態】
【００１２】
本発明を図示の実施例に基づいて詳細に説明する。
【実施例１】
【００１３】
図１は実施例１における注射針用廃棄箱の斜視図を示しており、例えばポリプロピレン等の合成樹脂製の容器本体１の上面に、合成樹脂製の蓋部２が嵌合して取り付けられている。なお、この蓋部２は容器本体１に対して着脱自在ではなく、分離不可能となっていてもよい。この蓋部２の上面板には、インスリンや成長ホルモン等の自己注射時に用いるペン型注射器の針ユニットを挿入して取り外し、更に保持するための挿入孔部３が形成されている。
【００１４】
図２に示すように、挿入孔部３の内壁３ａは略六角形とされており、弾発性を有する一対の板状の保持部３ｂが内壁３ａに沿って互いに対向するようにして、内壁３ａに対して一体的に形成されている。保持部３ｂの両端部３ｃは内壁３ａの対向する位置にそれぞれ取り付けられており、中間部は内壁３ａに沿って外側に湾曲された湾曲部３ｄとされている。また、湾曲部３ｄの両側にはそれぞれ押圧部３ｅが設けられ、これらの押圧部３ｅの下側には内側を向く当接突起部３ｆが形成されている。
【００１５】
保持部３ｂは湾曲部３ｄを有しているために、押圧部３ｅは内方から加わる力に対して弾発性を有し、後述する針ユニットが挿入孔部３内に挿入されると外側に押し拡げられる。このため、当接突起部３ｆを介して押圧部３ｅにより針ユニットを四方から付勢し押圧することになる。
【００１６】
また、蓋部２の上面板には、採血やワクチン接種等の広汎に用いる汎用タイプのキャップ型やロック型注射器から針ユニットを取り外すための孔部４が設けられている。孔部４には丸孔部４ａ、コ字形状の矩形部４ｂ、４ｃが設けられている。
【００１７】
更に蓋部２の上面板には、例えば点滴等に用いるチューブ付きの翼状針をチューブごと投棄するための大きな開口から成る投棄口５が設けられている。蓋部２の側部には、蓋部２を覆うための閉止部材６がヒンジを介して開閉自在に取り付けられている。
【００１８】
閉止部材６の先端部には、蓋部２に設けた係止溝２ａに係止する係止爪６ａ、また蓋部２の錠止溝２ｂにそれぞれ嵌合するための折曲可能な鉤状の２つの錠止爪６ｂが設けられている。また、閉止部材６の下面には先端を十字形状とした鉤状の押込部６ｃが突出して成形されており、閉止部材６を閉止した際に、この押込部６ｃは蓋部２の挿入孔部３上に位置するようにされている。
【００１９】
図３は針ユニットを先端に備えたペン型注射器の分解斜視図である。このペン型注射器は注射器本体１１と針ユニット１２とから構成されており、注射器本体１１の下端部の周囲には、外ねじ１３が刻設されている。針ユニット１２の合成樹脂から成る円筒形の基部１４の内側には、外ねじ１３と螺合するねじ溝１５が刻設されていると共に、基部１４の外周面に複数個の直線状の突条１６が上下方向に形成され、更に基部１４には注射針１７が上下に貫通している。
【００２０】
注射器本体１１の外ねじ１３と、針ユニット１２のねじ溝１５とを螺合させることにより、基部１４が注射器本体１１と連結し、注射器として使用できる。つまり、注射針１７の上端が注射器本体１１内に挿し込まれ、注射器本体１１の注入ボタン１８を押すことにより、注射器本体１１内のインスリン等の薬液が注射針１７を介して外部に供給される。
【００２１】
図４はペン型注射器の使用済みの針ユニット１２を取り外す状態における注射針用廃棄箱の斜視図を示している。閉止部材６を開け、注射器本体１１を持って針ユニット１２を挿入孔部３内に挿入する。
【００２２】
この挿入により図５に示すように、針ユニット１２の基部１４の突条１６を保持部３ｂの押圧部３ｅにより押し込むことによって、押圧部３ｅは元々の一点鎖線の位置から実線の位置に押し拡げられ、押圧部３ｅは基部１４を湾曲部３ｄの付勢力により弾性的に周囲から抑え込む。
【００２３】
そして、押圧部３ｅに設けられた当接突起部３ｆは、針ユニット１２の基部１４の突条１６を回転不能に規制する。この場合に、針ユニット１２の基部１４のサイズが多少変っても、弾発性を有する押圧部３ｅが適宜に押し拡げられて保持される。
【００２４】
注射器本体１１を図４の矢印に示すように回転させると、針ユニット１２の突条１６は当接突起部３ｆにより回転が規制され、注射器本体１１のみが回転して針ユニット１２に対する螺合が外れるので、図６に示すように針ユニット１２から注射器本体１１を分離して引き抜くことができる。つまり、挿入孔部３の保持部３ｂにより針ユニット１２を保持したまま、注射器本体１１を取り外すことが可能となる。
【００２５】
孔部４においても、図３に示すペン型注射器以外の型式の注射器の針ユニットを外すことができるが、ここではその説明は省略する。
【００２６】
このように、分離された針ユニット１２を挿入孔部３に残したままの状態において、図７に示すように閉止部材６を閉止すると、押込部６ｃが針ユニット１２の上部に当接する。更に、閉止部材６を押し下げて閉止することにより、針ユニット１２は押込部６ｃにより下方に押し込まれ、挿入孔部３の保持部３ｂから外れて容器本体１内に落下する。従って、針ユニット１２に手を全く触れることなく、安全に針ユニット１２を容器本体１内に収容することができる。
【００２７】
閉止部材６を閉止して針ユニット１２を落下させた後には、図８に示すように、閉止部材６の係止爪６ａを蓋部２の係止溝２ａに係止することにより、閉止部材６の閉止は保持される。閉止部材６を開ける際には、係止爪６ａを動かして係止を外せばよい。
【００２８】
注射器本体１１から針ユニット１２を分離した後においても、図８に示すように閉止部材６を閉止しておくことが好ましい。例えば、注射針廃棄箱が倒れるようなことがあっても、閉止部材６の閉止により、内部の針ユニット１２、翼状針等が投棄口５から外にこぼれ出すことがなくなる。
【００２９】
容器本体１が使用済みの針ユニット１２等で満杯となり、注射針用廃棄箱自体を廃棄する際には、閉止部材６の先端に設けた２つの錠止爪６ｂを折り曲げて、蓋部２の上面の錠止溝２ｂに嵌合させて錠止する。これにより、閉止部材６は開閉不能な状態となり、注射針用廃棄箱をそのまま安全に廃棄することができる。
【実施例２】
【００３０】
図９は実施例２の挿入孔部の斜視図、図１０は保持部の平面図であり、実施例１と同一の符号は同一の部材を示している。
【００３１】
実施例２の蓋部２の上面板に設けられた挿入孔部３’の内壁３ｇは略八角形とされ、１つおきの辺部から内方に向けて計４個の保持部３ｈが挿入孔部３’の内壁３ｇに一体に形成されている。
【００３２】
内壁３ｇから突出する保持部３ｈは、弾発性を持つアーム状のばね板３ｉの先端により四角形の押圧部３ｊが保持され、ばね板３ｉの他端は内壁３ｇに接続されている。そして、４個の押圧部３ｊは図示するように対向する内壁３ｇから向かい合うように配置されている。
【００３３】
また、押圧部３ｊの下部には当接突起部３ｋが内方に向けて突出されており、押圧部３ｊは内方から加わる力に対して対向する付勢力を有している。針ユニット１２の基部１４のサイズが多少変っても、弾発性を有するアーム状のばね板３ｉが適宜に変形して対応が可能となる。
【００３４】
この実施例２においても、針ユニット１２を挿入孔部３’に挿入すると、針ユニット１２は押圧部３ｊによりばね板３ｉに付勢されて保持される。ここで、注射器本体１１を回転すると、針ユニット１２の基部１４の突条１６は、押圧部３ｊの当接突起部３ｋにより回転は規制されて、注射器本体１１との螺合が外れ、針ユニット１２のみが挿入孔部３’内に残る。
【００３５】
実施例１と同様に、閉止部材６を閉止すると、この挿入孔部３’内に残った針ユニット１２は、押込部６ｃによって下方に押し込まれ容器本体１内に落下する。
【００３６】
なお、実施例１、２においては、保持部を挿入孔部の内壁から一体的に形成したが、別部材とした保持部を挿入孔部内に取り付けることもできる。
【符号の説明】
【００３７】
１  容器本体
２  蓋部
３、３’  挿入孔部
３ａ、３ｇ  内壁
３ｂ、３ｈ  保持部
３ｄ  湾曲部
３ｅ、３ｊ  押圧部
３ｆ、３ｋ  当接突起部
３ｉ  ばね板
５  投棄口
６  閉止部材
６ｃ  押込部
１１  注射器本体
１２  針ユニット
１３  外ねじ
１４  基部
１５  ねじ溝
１７  注射針
【図１】
2018166647.tif 000003
【図２】
2018166647.tif 000004
【図３】
2018166647.tif 000005
【図４】
2018166647.tif 000006
【図５】
2018166647.tif 000007
【図６】
2018166647.tif 000008
【図７】
2018166647.tif 000009
【図８】
2018166647.tif 000010
【図９】
2018166647.tif 000011
【図１０】
2018166647.tif 000012
【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
針ユニットを収容する容器本体と、該容器本体の上部に配置し、閉止部材を有する蓋部とを備え、該蓋部には注射器本体に螺合した使用済みの前記針ユニットを回転不能に挿入する挿入孔部を設け、前記注射器本体の回転により前記挿入孔部内に分離して保持した前記針ユニットを、前記閉止部材に設けた押込部によって前記挿入孔部から下方に押し込んで前記容器本体内に落下させる注射針用廃棄箱であって、
前記挿入孔部内には、弾発性を有する保持部が前記挿入孔部の内壁に設けられており、前記保持部は弾発性を有する複数の押圧部によりサイズが異なる前記針ユニットの保持を可能とし、前記押圧部の両端は前記挿入孔部の内壁に接続され、中間に付勢力を有する湾曲部が設けられていることを特徴とする注射針用廃棄箱。
【請求項２】
針ユニットを収容する容器本体と、該容器本体の上部に配置し、閉止部材を有する蓋部とを備え、該蓋部には注射器本体に螺合した使用済みの前記針ユニットを回転不能に挿入する挿入孔部を設け、前記注射器本体の回転により前記挿入孔部内に分離して保持した前記針ユニットを、前記閉止部材に設けた押込部によって前記挿入孔部から下方に押し込んで前記容器本体内に落下させる注射針用廃棄箱であって、
前記挿入孔部内には、弾発性を有する保持部が前記挿入孔部の内壁に設けられており、前記保持部は弾発性を有する複数の押圧部によりサイズが異なる前記針ユニットの保持を可能とし、前記押圧部はばね板により支持されていることを特徴とする注射針用廃棄箱。
【請求項３】
前記押圧部に設けた当接突起部によって、前記針ユニットを回転不能に規制することを特徴とする請求項１又２に記載の注射針用廃棄箱。
【請求項４】
前記保持部は別部材として前記挿入孔部の内壁に取り付けたことを特徴とする請求項１に記載の注射針用廃棄箱。
【手続補正２】
【補正対象書類名】明細書
【補正対象項目名】０００９
【補正方法】変更
【補正の内容】
【０００９】
上記目的を達成するための本発明に係る注射針用廃棄箱は、針ユニットを収容する容器本体と、該容器本体の上部に配置し、閉止部材を有する蓋部とを備え、該蓋部には注射器本体に螺合した使用済みの前記針ユニットを回転不能に挿入する挿入孔部を設け、前記注射器本体の回転により前記挿入孔部内に分離して保持した前記針ユニットを、前記閉止部材に設けた押込部によって前記挿入孔部から下方に押し込んで前記容器本体内に落下させる注射針用廃棄箱であって、前記挿入孔部内には、弾発性を有する保持部が前記挿入孔部の内壁に設けられており、前記保持部は弾発性を有する複数の押圧部によりサイズが異なる前記針ユニットの保持を可能とし、前記押圧部の両端は前記挿入孔部の内壁に接続され、中間に付勢力を有する湾曲部が設けられていることを特徴とする。
また、本発明に係る注射針用廃棄箱は、針ユニットを収容する容器本体と、該容器本体の上部に配置し、閉止部材を有する蓋部とを備え、該蓋部には注射器本体に螺合した使用済みの前記針ユニットを回転不能に挿入する挿入孔部を設け、前記注射器本体の回転により前記挿入孔部内に分離して保持した前記針ユニットを、前記閉止部材に設けた押込部によって前記挿入孔部から下方に押し込んで前記容器本体内に落下させる注射針用廃棄箱であって、前記挿入孔部内には、弾発性を有する保持部が前記挿入孔部の内壁に設けられており、前記保持部は弾発性を有する複数の押圧部によりサイズが異なる前記針ユニットの保持を可能とし、前記押圧部はばね板により支持されていることを特徴とする。